(57)【要約】【課題】棒状の部材が付設された物品を複数個支持するための簡便で実用的な支持装置を提供する。【解決手段】本考案は、ヘッドレストのステーのように棒状の部材が付設された物品を複数個支持するための支持装置である。この支持装置は、棒状の部材を上から挿嵌して支持するための支持穴１６を備えた複数の支持体１１を、平板状の上部材１と下部材２で挟んで固定部材１４，１５で固定したものである。上部材１は支持穴１６の位置を開口し、上部材１と下部材２に貫通孔１ｂ，１ｃ，２ｂ，２ｃが穿設され、固定部材１４，１５は、貫通孔１ｂ，１ｃ，２ｂ，２ｃを貫通して支持体１１に係止する係止爪１４ａ，１５ａを複数備えている。【選択図】  図１
0003108616.tif 000002
【実用新案登録請求の範囲】
【請求項１】
棒状の部材が付設された物品を複数個支持するための支持装置であって、該棒状の部材を上から挿嵌して支持するための支持穴を備えた複数の支持体と、該複数の支持体を上下から挟む平板状で支持穴の位置を開口した上部材および平板状の下部材と、支持体を上部材および下部材へ固定するため、該上部材および下部材に穿設した貫通孔を貫通して支持体に係止する係止爪を複数備えた固定部材と、からなることを特徴とする物品の支持装置。
【請求項２】
前記支持体の上端と下端に、前記固定部材の係止爪が挿通する貫通孔を穿設したフランジを固設したことを特徴とする請求項１記載の物品の支持装置。
【請求項３】
前記支持体の支持穴の上端部は下方に向かって漸次径が小さくなるテーパ穴としたことを特徴とする請求項１または請求項２記載の物品の支持装置。
【考案の詳細な説明】
【技術分野】
【０００１】
本考案は、例えばヘッドレストなど棒状の部材が付設された物品を複数個支持する支持装置に関するものである。
【背景技術】
【０００２】
例えばヘッドレストなどの自動車用の部品は、製造工場において通い箱と称する回収されて繰り返し使用する搬送用の容器に複数個収納して自動車メーカへ納入している。
物品を容器に収容する場合は、搬送過程での損傷を防止するため、物品を緩衝材で包み込んだり、あるいは物品の周囲に緩衝材を詰め込んだりしてしている。しかし、緩衝材を使用する方法は、物品の収容や納入先での取り出しに手間がかかり、また、緩衝材の廃棄処分が煩わしい。
【０００３】
このため、緩衝材を用いることなく物品を容器に収納して搬送したいという要望があり、従来技術としての文献は見当たらないが、例えばヘッドレストでは、これを支持装置に複数個支持させて搬送用の容器で搬送するものが使用されている。
【０００４】
これは、図４に示すように、伏コ字状に形成した架台２１に所定の間隔を設けて伏せコ字状に形成した補助部材２２を固設し、架台２１の上面および補助部材２２の上面には、ヘッドレスト３０の２本のステー３１が挿嵌する貫通孔２１ａ，２２ａが所定間隔Ｐで穿設されている。そして、ヘッドレスト３０はステー３１を上方から貫通孔２１ａ，２２ａに挿嵌することによって支持されている。
【考案の開示】
【考案が解決しようとする課題】
【０００５】
前記従来の支持装置は、貫通孔を穿設した２枚の板をコ字状に折曲げて金具（ステープル）で固設しただけの簡素なものであるが、ヘッドレスト３０のステー３１が遊びのない状態に挿嵌されるように貫通孔２１ａと２２ａを精度よく加工する必要があり、これが困難であるという欠点がある。また、ステー３１の挿嵌作業が簡単ではないという難点もある。また、ヘッドレストが輸送中振動などでふらつかないように保持するため、剛性を持たせなければならず重量が大きくなるという欠点がある。さらに、ヘッドレストのステーの間隔は車種によって異なるため、ヘッドレストの種類分の支持装置を保有しなければならず大きな保管スペースを必要とするという問題もある。
【０００６】
そこで、本考案は、棒状の部材が付設された物品を複数個支持するための簡便で実用的な支持装置を提供することを目的としている。
【課題を解決するための手段】
【０００７】
本考案の物品の支持装置は、上記の目的を達成するため次の手段を採った。すなわち、棒状の部材が付設された物品を複数個支持するための支持装置であって、該棒状の部材を上から挿嵌して支持するための支持穴を備えた複数の支持体と、該複数の支持体を上下から挟む平板状で支持穴の位置を開口した上部材および平板状の下部材と、支持体を上部材と下部材へ固定するため、該上部材と下部材に穿設した貫通孔を貫通して支持体に係止する係止爪を複数備えた固定部材と、からなることを特徴としている。
【０００８】
支持体、上部材、下部材および固定部材の材質は特に問わないが、合成樹脂にするのが望ましい。支持する物品は特に限定しないが、ヘッドレストのように棒状の部材が付設されたものである必要がある。なお、棒状の部材は製品の一部ではなく輸送時にのみ付設するようにしたものも含まれる。また、棒状の部材は円柱状のものに限らず、断面が楕円や多角形のものでもよい。
【０００９】
支持体は、棒状の部材が遊びのない状態で挿嵌される支持穴を中央部に備えた筒状のもので、上部材と下部材に挟持される。
なお、支持体は、請求項２に記載のように、上端と下端に、固定部材の係止爪が挿通する貫通孔を穿設したフランジを固設するのが望ましい。また、フランジは支持体と一体に成型したものでもよい。さらに、支持体の支持穴は請求項３に記載のように、上端部を下方に向かって漸次径が小さくなるテーパ穴にするとよい。
【００１０】
上部材および下部材は平板状で、上部材は支持体が配置される支持穴の位置に開口を設ける。なお、下部材にも同じ開口を設けて上部材と同じものとすれば重ねて支持穴および貫通孔の加工ができ、また、保管も簡便である。また、上部材および下部材の大きさは、搬送する容器の大きさを考慮して設定すればよい。
【００１１】
支持体を上部材と下部材へ固定するための固定部材は、上部材または下部材に穿設した貫通孔を貫通して支持体に係止する係止爪を少なくとも２個備える。なお、係止爪は上部材または下部材に密着するまで押し込むと、自動的に支持体に係止されるものが望ましい。
【考案の効果】
【００１２】
本考案の物品の支持装置は、上記説明したように、棒状の部材を上から挿嵌して支持するための支持穴を備えた複数の支持体を、平板状の上部材および下部材で上下から挟み、固定部材で固定したので、上部材および下部材の加工は簡単な開口でよく、また、重ねて加工できるので、簡便である。上部材と下部材と支持体は脱着できるので、上部材および下部材を重ねて保管でき、保管スペースが小さくて済む。また、支持体は例えばステーの間隔の異なるものへ共用でき、保有する量を少なくできる。
【００１３】
また、支持体は、請求項２に記載のように、上端と下端に、固定部材の係止爪が挿通する貫通孔を穿設したフランジを固設すれば、支持体と上部材および下部材との接触面積が大きくなり、強固な支持装置にできる。さらに、請求項３に記載のように、上端部を下方に向かって漸次径が小さくなるテーパ穴にすれば、棒状の物品を挿嵌する作業を簡便にできる。
【考案を実施するための最良の形態】
【００１４】
本考案の実施の形態を、添付図面に示した本考案の実施例に基づいて以下に具体的に説明する。
【実施例】
【００１５】
本考案の実施例を、物品がヘッドレストの場合で図１〜図３に基づいて説明する。
図１は、本考案の実施例の物品の支持装置の要部を示す正面断面図である。
この物品の支持装置は、上部材１、下部材２、支持体１１および固定部材１４，１５から構成され、材質は全て合成樹脂である。
【００１６】
上部材１は、図３に示すように、ヘッドレストのステーの間隔Ｐで２列に開口１ａが設けられ、１０個のヘッドレストを支持できるように形成されている。そして、開口１ａの左右にはそれぞれ長方形状の貫通孔１ｂ，１ｃが穿設されている。なお、開口１ａの径はヘッドレストとのステーの外径より大きなものとしている。
下部材２は、ここでは、上部材１と同じものを使用しており、図を省略しているが、開口１ａ、貫通孔１ｂ，１ｃに対向して開口２ａ、貫通孔２ｂ，２ｃが設けられている。
【００１７】
支持体１１は、図２に示すように、支持穴１６を有する略円筒状に形成され、上端と下端にフランジ、すなわち、上端に上フランジ１２が、下端に下フランジ１３が固設されている。そして、上フランジ１２の下と下フランジ１３の上には矩形状の係止台１１ａが形成されている。
支持穴１６はヘッドレストのステーが遊びのない状態で嵌合する径であり、また、上端から所定の位置まで漸次小径になるテーパ穴１７が形成され、下端は支持穴１６が塞がれ、抜孔１８が穿設されている。
また、上フランジ１２には、固定部材１４の係止爪１４ａが挿通する貫通孔１２ａが左右に２個穿設され、同様に、下フランジ１３には貫通孔１３ａが穿設されている。
【００１８】
固定部材１４は、上フランジ１２より若干小さい円盤状であり、中央部に上フランジ１２のテーパ穴１７とほぼ同じ径の開口１４ｂが穿設され、その左右に係止爪１４ａが対向して固設されている。なお、開口１４ｂは、係止爪１４ａの取付位置まで左右に拡げて設けられている。また、固定部材１５は、固定部材１４と同じものとしており、開口１５ｂが設けられ、係止爪１５ａが固設されている。
【００１９】
支持装置の組み立ては、下部材２の開口２ａの左右の貫通孔２ｂ，２ｃに下フランジ１３の貫通孔１３ａを合致させて支持体１１を載せ、下部材２の下方から固定部材１５を、その係止爪１５ａが貫通孔２ｂ，２ｃおよび貫通孔１３ａを挿通させて押し込む。このとき、係止爪１５ａは貫通孔２ｂ，２ｃ，１３ａの内側面に押され外側へ広がりながら挿通され、係止台１１ｂに係止する。係止爪１５ａが係止台１１ｂに係止すると、下部材２の上面は支持体１１の下フランジ１３に密着した状態で固定される。
【００２０】
すべての支持体１１を下部材２に固定したら、上部材１を被せ、上部材１の開口１ａの左右の貫通孔１ｂ，１ｃに上フランジ１２の貫通孔１２ａを合致させて、上部材１の上方から固定部材１４を係止爪１４ａが貫通孔１ｂ，１ｃおよび貫通孔１２ａを挿通させて押し込み、係止台１１ａに係止する。これにより、下部材２と同様、支持体１１が上部材１に固定される。すべての支持体１１を上部材１に固定したら、支持装置として組立完了である。
【００２１】
ヘッドレストを支持するときは、これを持ってステーを支持穴１６へ挿嵌する。この場合、支持穴１６の上部がテーパ穴１７になっているので自動的に案内され、また、ステーが押し込まれると中の空気が抜孔１８から放出され、スムーズに挿嵌される。
搬送する複数個のヘッドレストを支持穴１６へ挿嵌したら、適宜な容器に収納して搬送する。この容器は図示してないが、直方体の適宜な大きさのものを使用する。
【図面の簡単な説明】
【００２２】
【図１】本考案の実施例の物品の支持装置の要部を示す正面断面図である。
【図２】同  上部材を示す平面図である。
【図３】同  支持体と固定部材の分解斜視図である。
【図４】従来の物品の支持装置の一例を示す斜視図である。
【符号の説明】
【００２３】
１…上部材                １ａ…開口
１ｂ，１ｃ…貫通孔        ２…下部材
２ａ…開口                ２ｂ，２ｃ…貫通孔
１１…支持体              １１ａ，１１ｂ…係止台
１２…上フランジ          １２ａ…貫通孔
１３…下フランジ          １３ａ…貫通孔
１４…固定部材            １４ａ…係止爪
１４ｂ…開口
１５…固定部材            １５ａ…係止爪
１５ｂ…開口              １６…支持穴
１７…テーパ穴            １８…抜孔
２０…物品の支持装置      ２１…架台
２１ａ…貫通孔            ２２…補助部材
２２ａ…貫通孔            ３０…ヘッドレスト
３１…ステー
【図１】
0003108616.tif 000003
【図２】
0003108616.tif 000004
【図３】
0003108616.tif 000005
【図４】
0003108616.tif 000006